(57)【要約】【課題】  排水経路にゴミがたまりにくく、また意匠性が良好な組立建物を提供する。【解決手段】  柱と、屋根とを備え、柱は、柱本体と、柱カバーとからなり、屋根は、柱側に向けて下向きに傾斜していて、柱側端に横樋を有しており、横樋が柱本体の直前に位置しており、柱本体は、屋根側に縦樋を有し、柱カバーで縦樋を被覆しており、横樋に設けた排水孔が縦樋の直上に位置している。【選択図】      図１
2019082109.tif 000002
【特許請求の範囲】
【請求項１】
柱と、屋根とを備え、柱は、柱本体と、柱カバーとからなり、屋根は、柱側に向けて下向きに傾斜していて、柱側端に横樋を有しており、横樋が柱本体の直前に位置しており、柱本体は、屋根側に縦樋を有し、柱カバーで縦樋を被覆しており、横樋に設けた排水孔が縦樋の直上に位置していることを特徴とする組立建物。
【発明の詳細な説明】
【技術分野】
【０００１】
本発明は、柱と屋根を備える組立建物に関する。
【背景技術】
【０００２】
カーポートなどに代表される、柱と屋根を備える組立建物においては、従来、非特許文献１に示すように、屋根の端部に横樋を設けてあり、柱に沿って縦樋を設けてあって、横樋と縦樋はドレンエルボを介して接続してあった。
【先行技術文献】
【非特許文献】
【０００３】
【非特許文献１】「エクステリア総合カタログ２０１３−２０１４（ＳＴＸ０７３４Ａ）」、三協立山株式会社、２０１３年３月、ｐ．８０１
【発明の概要】
【発明が解決しようとする課題】
【０００４】
しかしながら、このような従来の組立建物においては、ドレンエルボにゴミがたまるため、この部分の清掃が必要であった。また、縦樋やドレンエルボが露出する構造であったため、これらが露出しない、より意匠性の好ましい構造のものが求められていた。
【０００５】
本発明は、上記事情を鑑みたものであり、排水経路にゴミがたまりにくく、また意匠性が良好な組立建物を提供することを目的とする。
【課題を解決するための手段】
【０００６】
本発明は、柱と、屋根とを備え、柱は、柱本体と、柱カバーとからなり、屋根は、柱側に向けて下向きに傾斜していて、柱側端に横樋を有しており、横樋が柱本体の直前に位置しており、柱本体は、屋根側に縦樋を有し、柱カバーで縦樋を被覆しており、横樋に設けた排水孔が縦樋の直上に位置していることを特徴とする。
【発明の効果】
【０００７】
本発明によれば、横樋の直下に縦樋が位置しているので、ゴミがたまりにくく、またこれによりドレンエルボが不要である。そして、ドレンエルボがなく、また縦樋が柱カバーに被覆されているので、意匠性が良好である。
【図面の簡単な説明】
【０００８】
【図１】屋根の柱側端部分の拡大図である。
【図２】野縁部分の拡大図である。
【図３】横樋部分の拡大図である。
【図４】柱の横断面図（図１のＡ−Ａ線断面図）である。
【図５】梁の縦断面図（図１のＢ−Ｂ線断面図）である。
【図６】雨水の流れを示す説明図である。
【図７】組立建物の縦断面図（図８のＣ−Ｃ線断面図）である。
【図８】組立建物の平面図である。
【発明を実施するための形態】
【０００９】
以下、本発明の実施の形態を図面に基づいて説明する。なお、以下において、前側及び後側とは、図８における下側及び上側を示し、左右とは図８における左右を示す。この組立建物は、図７及び図８に示すように、二本の柱１及び梁６と、屋根３を備える。柱１は左右に離隔して立設してあり、各柱１の上端部の前側面から、梁６が前側に向けて延びている。ただし、梁６は、後側（柱１側）に向けて下向きに傾斜している。そして、梁６の下側の前後二箇所に、左右に延びる野縁９を取り付けてあり、野縁９の下側に屋根３を取り付けてある。より詳しくは、野縁９は断面略矩形の形材からなる。そして図２に示すように、梁６の下面に、上側取付具９１をボルト止めしてある。上側取付具９１は、前後に対向する二枚の垂下片９２を有しており、垂下片９２で野縁９を挟み込んで、前後からボルト止めして固定してある。さらに、野縁９の下面には、略Ｃ字形の取付溝９３を形成してあり、この取付溝９３に、下側取付具９４を係合させて取り付けてある。下側取付具９４は、下側に梁６と平行な平板状の取付面９５を有しており、取付面９５を屋根３の上面に当接させて、ボルト止めして固定してある。なお、屋根３は、前後に延びる中空平板状の屋根部材３１を左右に連設して構成したものであり、各屋根部材３１に対して下側取付具９４を設けてある。このように取り付けることで、屋根３は梁６と平行な向きとなり、すなわち、後側（柱１側）に向けて下向きに傾斜している。
【００１０】
そして、図４に示すように、柱１は、柱本体１０と、柱カバー２とからなる。柱本体１０は、中空形材からなるものであって、前後に長い略楕円形の前側略１／３を切り落とした形状となっており、前側面には後側に向けて開口する断面コ字形の前側溝部１１を形成してあり、後側面には後側に向けて開口する断面コ字形の後側溝部１２を形成してある。また、左右側面の内周側には、略矩形で中空の突出部１３を形成してある。さらに、前側面の左右端には、前側に向けて延び先端が内周側に向けて屈曲する係合部１４を形成してある。一方、図５に示すように、梁６は、中空形材からなるものであって、左右側面の内周側には、長手方向（前後方向）に延びる三本のリブ６１を形成してある。そして、このように構成した柱本体１０と梁６を、コーナー部材７により連結してある。図１及び図６に示すように、コーナー部材７は、一方腕部７１と他方腕部７２からなる略Ｌ字形で、断面略矩形の金具であり、一方腕部７１は下側に向けて延び、他方腕部７２は前側に向けて延びている。ただし、他方腕部７２は後側に向けて下向きに傾斜している。連結に際しては、このコーナー部材７の一方腕部７１を柱本体１０の上端部に挿入し、他方腕部７２を梁６の後端部に挿入する。柱本体１０においては、図４に示すように、前側溝部１１の底面、後側溝部１２の背面（前側面）及び左右の突出部１３の内周側面によって、コーナー部材７が前後左右に位置決めされ、前後方向からボルト止めしてある。特に後側のボルトについては、柱本体１０の後側溝部１２の底面にボルト孔を形成してあって、ボルトの頭部が後側溝部１２内に納まっており、後側溝部１２をボルトカバー１５で覆ってある。図４に示すように、ボルトカバー１５は曲面状であって、柱本体１０の外周面と連続的な曲面を形成する。また、図５に示すように、梁６においては、上面、下面及び左右のリブ６１によって、コーナー部材７が上下左右に位置決めされ、上下方向からボルト止めしてある。なお、柱本体１０の上端の前側面には、上向きに開口する切欠部を形成してあり、切欠部にコーナー部材７の他方腕部７２が納まることで、柱本体１０の前側からコーナー部材７の他方腕部７２が突出し、梁６が柱本体１０の前側（側方）に位置することになる。そして、梁６は、その後端部（柱１側端部）が柱本体１０の前面から離隔するようにして、他方腕部７２に固定してある。
【００１１】
さらに、図１に示すように、屋根３の後端（柱１側端）には、左右に延びる横樋４を設けてある。横樋４は、図３に示すように、略水平向きの底面部４５と、底面部４５の後端部から略垂直上向きに延びる壁面部４６と、底面部４５の前端部に形成した断面略矩形の中空部４２を有していて、中空部４２の上面に設けたＬ字形の取付片４３を屋根３の下面にネジ止めしてあり、壁面部４６の上端と屋根３の上面を前後に延びる連結材４４により連結してある。そして、横樋４は、柱本体１０の前側面とわずかな隙間を隔てて、柱本体１０の直前に位置している。また、柱本体１０の前側面の、横樋４の下側部分には、柱カバー２を取り付けてある。図７に示すように、柱カバー２は、横樋４の直下から柱本体１０の下部まで延びるものである。そして図４に示すように、柱カバー２は断面略半円弧状であって、両端に略Ｌ字形の被係合部２１を形成してあり、被係合部２１を柱本体１０の係合部１４に係合させて取り付けるものであって、柱本体１０の外周面と連続的な曲面を形成し、柱本体１０と柱カバー２とボルトカバー１５とで前後対称な略楕円形となる。そして、柱カバー２内（柱本体１０と柱カバー２の間）に、上下に延びる縦樋５を内蔵してある。縦樋５は、円管からなり、柱本体１０の前側面にネジ止めした取付基部５１に、縦樋５の外周に巻き付くバンド部材５２を固定することで、柱本体１０の前側に固定してある。また、図６に示すように、縦樋５の上端には、筒状の水抜部５３を挿入してあり、水抜部５３の上端を横樋４の底面部４５に固定してある。そして、横樋４の底面部４５の水抜部５３接続箇所（縦樋５の直上）には排水孔４１を開けてあり、横樋４と縦樋５が排水孔４１及び水抜部５３を介して連通している。このように横樋４及び縦樋５を設けることで、屋根３の上面にたまった雨水は、傾斜に沿って後側（柱１側）へ流れて、横樋４に流入し、排水孔４１及び水抜部５３を通って縦樋５に流入して排水される。なお、図１に示すように、柱カバー２は横樋４の上側部分にも設けてあり、横樋４が位置する部分だけを切除した構造となっている（横樋４より上側部分の柱カバーを上部柱カバー２ａとし、柱カバーの切除した部分を切除部２ｂとする）。すなわち、横樋４は柱カバーに形成した切除部２ｂに呑み込まれている。なお、上部柱カバー２ａは、横樋４の直上から柱本体１０の上端まで延びており、上端の前側面には上向きに開口する切欠部を形成してある。切欠部に梁６が納まることで、上部柱カバー２ａの前側から梁６が突出することになり、梁６の後端部（柱１側端部）は上部柱カバー２ａにより覆い隠される。
【００１２】
このように、横樋４の直下に縦樋５が位置しているので、雨水がスムーズに流れてゴミがたまりにくく、またこれにより、横樋４と縦樋５を接続するドレンエルボが不要である。そして、ドレンエルボがなく、また縦樋５が柱カバー２に被覆されていて外側から見えず、さらに柱本体１０と柱カバー２の外周面が連続的な曲面を形成して一体的な形状となるので、意匠性が良好である。
【００１３】
また、図１及び図５に示すように、梁６の後端部（柱１側端部）の上面及び側面に、止水部材８を設けてある。止水部材８は、角柱状の樹脂部材からなるものであって、梁６に対して接着して取り付けてあり、梁６の長手方向に直交して、一方の側面の下端から上面を通って他方の側面の下端まで延びている。ただし、上面に取り付ける止水部材８と側面に取り付ける止水部材８は別体である。なお、上記のとおり、梁６の後端部（柱１側端部）は上部柱カバー２ａにより覆い隠されており、止水部材８も上部柱カバー２ａの内側に納まるので、外側からは見えず、意匠性を損なうことはない。そして、止水部材８は、屋根３の後端（柱１側端）に設けた横樋４の上方に位置している。このように梁６に止水部材８を設けることで、図６に示すように、梁６の上面や側面を伝う雨水は、傾斜に沿って後側（柱１側）へ流れ、止水部材８により塞き止められて下方へ流れ落ちる。そして止水部材８の真下に横樋４が位置しているから、梁６から流れ落ちた雨水は横樋４に流入し、排水孔４１及び水抜部５３を通って縦樋５に流入して排水される。
【００１４】
このように、梁６に止水部材８を設けてあるので、梁６の上面や側面を伝う雨水が止水部材８により塞き止められ、さらに梁６と柱本体１０が離隔しているので、雨水は柱本体１０よりも前側で流れ落ち、柱本体１０の内部には浸入しない。よって、コーナー部材７が濡れて腐食することがない。そして、止水部材８の真下に横樋４が位置しているから、雨水は横樋４及び縦樋５を経由してスムーズに排水される。
【００１５】
本発明は、上記の実施形態に限定されない。たとえば、横樋、縦樋や柱カバーの形状及び取付構造は、どのようなものであってもよいし、止水部材の形状及び取付構造も、どのようなものであってもよい。また、梁は、柱本体の側面に当接していてもよい。この場合でも、雨水は止水部材により塞き止められて、柱本体の内部には浸入しない。さらに、柱本体の上端部にコーナー部材を納める切欠部が形成されておらず、梁が柱の上端より高い位置に支持されるものであってもよい。この場合、コーナー部材の角部は別部材により覆われる。また、屋根は屋根部材を左右に連設した構造であるから、連設する数を変更することで、左右長さを自在に変えられる。上記の実施形態のように、屋根の左右幅が短いものは、カーポートなどに用いられ、より屋根の左右幅が長いものは、通路屋根などに用いられる。なお、屋根が左右に長くなった場合には、柱も適宜追加される。
【符号の説明】
【００１６】
１  柱
２  柱カバー
３  屋根
４  横樋
５  縦樋
６  梁
７  コーナー部材
８  止水部材
１０  柱本体
４１  排水孔
【図１】
2019082109.tif 000003
【図２】
2019082109.tif 000004
【図３】
2019082109.tif 000005
【図４】
2019082109.tif 000006
【図５】
2019082109.tif 000007
【図６】
2019082109.tif 000008
【図７】
2019082109.tif 000009
【図８】
2019082109.tif 000010
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
柱と、梁と、梁に吊り下げられる屋根とを備え、柱は、柱本体と、柱カバーとからなり、屋根は、柱側に向けて下向きに傾斜していて、柱側端に横樋を有しており、横樋が柱本体の直前に位置しており、柱本体は、屋根側に縦樋を有し、柱カバーで縦樋を被覆しており、横樋に設けた排水孔が縦樋の直上に位置していることを特徴とする組立建物。
【手続補正２】
【補正対象書類名】明細書
【補正対象項目名】０００６
【補正方法】変更
【補正の内容】
【０００６】
本発明は、柱と、梁と、梁に吊り下げられる屋根とを備え、柱は、柱本体と、柱カバーとからなり、屋根は、柱側に向けて下向きに傾斜していて、柱側端に横樋を有しており、横樋が柱本体の直前に位置しており、柱本体は、屋根側に縦樋を有し、柱カバーで縦樋を被覆しており、横樋に設けた排水孔が縦樋の直上に位置していることを特徴とする。